(57)【特許請求の範囲】
【請求項１】
走行体と、後半部が該走行体の走行幅内において旋回可能に該走行体上に設けられた旋回体と、該旋回体の一方側部に配設された操縦部と、該旋回体の他方側部に前後方向に沿って配設された作動油タンク・内燃機関用燃料タンクを覆うと共に、前記操縦部の下部及び該旋回体の後部に該旋回体の前後方向に直交して配設された内燃機関及び油圧ポンプとを覆うボンネットと、一部が該ボンネットの上部に臨んで前記操縦部に設けられた座席シートとを備える油圧作業機において、前記ボンネットを、作動油タンク・内燃機関用燃料タンクを覆う第１ボンネットと、該第１ボンネットの後方に隣接して前記内燃機関の一側方を覆う第２ボンネットと、前記操縦部の後方に位置して内燃機関及び油圧ポンプを覆う第３ボンネットとに分割して設け、前記第２ボンネットを前記第１ボンネット側を軸として水平方向又は垂直方向に開閉自在に設け、該第３ボンネットを前記操縦部の外方側を軸として水平方向に開閉自在に設けたことを特徴とする油圧作業機。
【請求項２】
前記旋回体には、前記操縦部の外方側端部から間隔を存し且つ前記第１ボンネットの外方側端部から間隔を存する位置であって該旋回体の後端部に起立するカウンターウエイトが固設されており、前記第２及び第３ボンネットは、前記カウンターウエイトの両側縁及び上縁に当接して前記内燃機関及び油圧ポンプを覆うことを特徴とする請求項１記載の油圧作業機。
【発明の詳細な説明】
【０００１】
【産業上の利用分野】
本発明は、油圧ショベル等の油圧作業機に関する。
【０００２】
【従来の技術】
従来、油圧ショベル等の油圧作業機は、走行体上に設けられた旋回体が走行体の走行幅を直径とする円内にほぼ納められ、後部が走行体上から外方にはみだすことなく旋回体を旋回させることができるものが知られている。この種の油圧作業機によれば、走行体の走行幅が確保できる場所であれば作業を比較的容易に行うことができる。
【０００３】
また、狭い場所での作業を行うために、上記のような車幅内の旋回が可能であってしかも車幅を更に狭くした小型の油圧作業機が知られている。車幅が狭くされたものでは、車幅内旋回を可能とするために、その旋回体が一層小型に形成されている。
【０００４】
反面、旋回体上に設けられる操縦席については、操縦者の良好な操縦環境を維持するために、それを狭くすることは好ましくない。
【０００５】
これにより、小型の旋回体上では操縦席が比較的大きな範囲を占め、それに対応して旋回体への部品の搭載面積が小さくなる。その結果、旋回体上には部品が密集して搭載される。このため、例えば、旋回体の後部に搭載される内燃機関の一部の直上に操縦席の座席シートが位置するように配設されると共に、後部のボンネットの直上に座席シートが張り出されて設けられる。
【０００６】
このように形成された小型の油圧作業機では、後部のボンネットを上方に開閉自在に設けても、該ボンネットが座席シートに干渉するので上方に開放することが困難である。操縦席を覆うキャブを設けた場合にも、キャブの形状がキャブ内の座席シートの形状に沿って形成されていることから該キャブの後側が該ボンネットの直上位置に張り出して設けられるため、該ボンネットの上方への開放は困難となる。
【０００７】
そのため、この種の小型油圧作業機では、操縦席を取り外して内燃機関のメンテナンス作業を行わなければならず、その作業が煩わしい不都合がある。
【０００８】
そこで、操縦席の取り外し作業を不要とするために、後部のボンネットの側壁の一部に開閉自在の小窓を設け、該小窓を介して内燃機関のメンテナンス作業を行う小型の油圧作業機が知られている。
【０００９】
しかし、該小窓では開放範囲が狭いので、該小窓を開放しても内燃機関の一部が露出されるにとどまるので他の部品のメンテナンス作業が困難である不都合がある。
【００１０】
【発明が解決しようとする課題】
かかる不都合を解消して、本発明は、操縦部の座席シートがボンネットの上方に張り出すような小型の旋回体であっても、座席シート等を取り外すことなく、座席シート下部及びボンネット内部のメンテナンスを必要とする各部品を良好且つ容易に露出させることができ、メンテナンス作業性を向上させることができる油圧作業機を提供することを目的とする。
【００１１】
【課題を解決するための手段】
かかる目的を達成するために、本発明は、走行体と、後半部が該走行体の走行幅内において旋回可能に該走行体上に設けられた旋回体と、該旋回体の一方側部に配設された操縦部と、該旋回体の他方側部に前後方向に沿って配設された作動油タンク・内燃機関用燃料タンクを覆うと共に、前記操縦部の下部及び該旋回体の後部に該旋回体の前後方向に直交して配設された内燃機関及び油圧ポンプとを覆うボンネットと、一部が該ボンネットの上部に臨んで前記操縦部に設けられた座席シートとを備える油圧作業機において、前記ボンネットを、作動油タンク・内燃機関用燃料タンクを覆う第１ボンネットと、該第１ボンネットの後方に隣接して前記内燃機関の一側方を覆う第２ボンネットと、前記操縦部の後方に位置して内燃機関及び油圧ポンプを覆う第３ボンネットとに分割して設け、前記第２ボンネットを前記第１ボンネット側を軸として水平方向又は垂直方向に開閉自在に設け、該第３ボンネットを前記操縦部の外方側を軸として水平方向に開閉自在に設けたことを特徴とする。
【００１２】
このとき、前記旋回体には、前記操縦部の外方側端部から間隔を存し且つ前記第１ボンネットの外方側端部から間隔を存する位置における該旋回体の後端部に起立するカウンターウエイトが固設されており、前記第２及び第３ボンネットは、前記カウンターウエイトの両側縁及び上縁に当接して前記内燃機関及び油圧ポンプとを覆うことが好ましい。
【００１３】
【作用】
本発明は、前記第３ボンネットを水平方向に開閉自在に設け、前記第２ボンネットを水平方向又は垂直方向に開閉自在に設ける。これにより、第３ボンネットの上方に張り出す座席シートに干渉させることなく操縦部の後方に位置する第３ボンネットを開放することが可能となり、作動油タンク・内燃機関用燃料タンクの後方に位置する第２ボンネットと共に開放することにより、操縦部を取り外すことなく内燃機関及び他の部品の比較的広い領域にわたる良好な露出を可能とする。更に、第２または第３何れか一方のボンネットを各別に開放することが可能となり、これによりメンテナンス作業の必要部分の選択的な露出が可能となる。
【００１４】
また、旋回体の後部に前記カウンターウエイトが固設されているとき、前記第２及び第３ボンネットを、旋回体の後方に固設されたカウンターウエイトの両側縁及び上縁に当接して前記内燃機関及び油圧ポンプとを覆うようにすることにより、前記第２及び第３ボンネットを開放状態としたときには、カウンターウエイトの両側方が開放されて前記内燃機関及び油圧ポンプとがカウンターウエイトの上方だけでなく両側からも露出される。
【００１５】
【実施例】
本発明の実施例を図面に基づいて説明する。図１は本実施例の油圧作業機の一側面図、図２は図１の作業機の旋回体の説明的平面図、図３は図１の作業機の後部を説明的に示す斜視図、図４はボンネットの他の例を示す旋回体の説明的平面図、図５は他の実施例を示す説明図である。
【００１６】
図１及び図２に示すように、本実施例の油圧作業機は、狭所で作業を行うように構成された小型油圧ショベルであり、１は走行体２上に旋回自在に設けられた旋回体である。この旋回体１には、その前部の左側に操縦部３が配置され、また、該操縦部３の右側部及び後部を囲むようにして後述の各種機器を収納したボンネット４が設けられている。
【００１７】
更に、図１に示すように、旋回体１の前部からブーム５、アーム６及びバケット７が順に延設され、それぞれブームシリンダ８、アームシリンダ９及びバケットシリンダ１０により上下に揺動自在とされている。この場合、ブーム５は、旋回体１の前部に設けられた支軸１１を支点として、旋回体１に対して左右に揺動自在に該支軸１１に枢支されている。尚、図１に示すように、走行体２には、クローラ２ａとドーザ２ｂとが設けられている。
【００１８】
図２に示すように、前記旋回体１の形状は、平面視において車幅を直径とする円内にほぼ納まっている。特に、旋回体１の後半部の形状は完全に車幅を直径とする円内に納められており、該旋回体１が旋回しても、その後半部は車幅からはみ出すことがない。また、該旋回体１の後端縁には、背面視凸状に形成されたカウンターウエイト１ａ（図３参照）が該旋回体１に一体に固設されている。
【００１９】
前記旋回体１のボンネット４に覆われた内部には、内燃機関１７、作動油タンク１８、燃料タンク１９等の各種機器が搭載されている。
【００２０】
内燃機関１７は、操縦部３の後方で旋回体１の後部に左右方向に向けて設けられ、その右側部には冷却ファン２０やラジエター２１が配置され、左側部には該内燃機関１７によって駆動される油圧ポンプ２２が取着されている。また、燃料タンク１９と作動油タンク１８とは、前後に配列されて搭載されている。
【００２１】
前記ボンネット４は、図２に示すように、作動油タンク１８、燃料タンク１９を覆う第１ボンネット４ａと、該第１ボンネット４ａの後方に隣接して前記内燃機関１７に備えられた冷却ファン２０やラジエター２１等の部品を覆う第２ボンネット４ｂと、前記操縦部３の後方に位置して内燃機関１７及び油圧ポンプ２２を覆う第３ボンネット４ｃとに分割されている。
【００２２】
前記操縦部３の後方に位置する第３ボンネット４ｃは、操縦部３の一側方に設けられた垂直方向を揺動軸とするヒンジ４ｄを介して水平方向に開閉自在であり、開放時には内燃機関１７と油圧ポンプ２２とが露出される。
【００２３】
前記作動油タンク１８及び内燃機関用燃料タンク１９の後方に位置する第２ボンネット４ｂは、操縦部３の他側方に設けられた水平方向を揺動軸とするヒンジ４ｅを介して垂直方向に開閉自在であり、開放時には内燃機関１７に備えられた冷却ファン２０やラジエター２１が露出される。
【００２４】
そして、図３に示すように、第３ボンネット４ｃがヒンジ４ｄを介して水平方向に開閉自在であるので、本実施例のように小型の油圧ショベルの場合に見られる操縦部３の座席シート３ａの背もたれ部が第３ボンネット４ｃの直上に張り出したもの（図１参照）であっても、第３ボンネット４ｃを座席シート３ａに干渉させることなく容易に開閉させることができ、内燃機関１７と油圧ポンプ２２とをメンテナンス作業の容易な状態に露出させることができる。また、前記第２ボンネット４ｂを開放することにより、内燃機関１７に備えられた冷却ファン２０やラジエター２１をメンテナンス作業の容易な状態に露出させることができる。
【００２５】
更に、前記旋回体１の後縁部にはカウンターウエイト１ａが固設されているが、第２及び第３ボンネット４ｂ，４ｃを開放したときにカウンターウエイト１ａの両側が開放されるので、前記各部品のメンテナンス作業を容易に行うことができる。
【００２６】
また、第２及び第３ボンネット４ｂ，４ｃは、図３において仮想線示するように、それらの底縁が前記カウンターウエイト１ａに対応して該カウンターウエイト１ａ上縁及び左右の側縁に当接し、第２及び第３ボンネット４ｂ，４ｃとカウンターウエイト１ａとによって旋回体１後部に搭載されている前記各部品が閉塞される。
【００２７】
なお、前記第２ボンネット４ｂは、前述したように、垂直方向に開閉自在としてもよいが、例えば、図４に示すように、操縦部３の他側方に設けられて垂直方向を揺動軸とするヒンジ４ｆを介して水平方向に開閉自在としてもよい。
【００２８】
また、前記実施例では、操縦部３に座席シート３ａが露出する油圧ショベルについて述べたが、本実施例の旋回体１においては、図５に示すように、操縦部３に座席シート３ａを覆うキャブ２３が設けられる場合がある。キャブ２３は座席シート３ａの形状に沿って、その後壁が第３ボンネット４ｃの上方に張り出す形状とされるが、該第３ボンネット４ｃはヒンジ４ｄを介して水平方向（図中手前方向）に開放するのでキャブ２３に干渉することなく、内燃機関１７や油圧ポンプ２２を露出させることができ、それらのメンテナンス作業を容易に行うことができる。
【００２９】
【発明の効果】
以上のことから明らかなように、本発明によれば、前記操縦部の後方に位置する第３ボンネットを水平方向に開閉自在に設けることにより、操縦部の座席シートに干渉させることなく、該第３ボンネットを開放することができる。これにより、操縦部の座席シートを取り外すことなく内燃機関及び油圧ポンプ等のメンテナンス作業を良好に行うことができる。更に、前記第１ボンネットの後方に隣接する第２ボンネットを水平方向又は垂直方向に開閉自在に設けることにより、該第２ボンネットと前記第３ボンネットとを開放すれば、旋回体の後部を広い領域にわたって開放することができ、旋回体の後部に搭載された各部品のメンテナンス作業を良好に行うことができる。また、第２又は第３の何れか一方のボンネットを各別に開放することができ、メンテナンス作業の必要部分を選択的に露出させることができるので、メンテナンス作業時の作業効率を向上させることができる。
【００３０】
また本発明によれば、例えば、該操縦部にキャブを設けても、前記第３ボンネットを水平方向に開閉自在とすることにより、キャブの存在に影響されることなくメンテナンス作業が容易な状態に旋回体の後部を開放することができる。
【００３１】
更に本発明は、カウンターウエイトを前記操縦部の外方側端部から間隔を存し且つ前記第１ボンネットの外方側端部から間隔を存する位置における該旋回体の後端部に起立して設け、前記第２及び第３ボンネットを、該カウンターウエイトの両側縁及び上縁に当接して旋回体の後部を覆うように構成したので、前記第２及び第３ボンネットを開放したとき、該カウンターウエイトの上方及び両側を良好に開放することができ、旋回体の後部に搭載された各部品のメンテナンス作業を容易に行うことができる。
【図面の簡単な説明】
【図１】本発明の実施例の油圧作業機の一側面図。
【図２】図１の作業機の旋回体の説明的平面図。
【図３】図１の作業機の後部を説明的に示す斜視図。
【図４】ボンネットの他の例を示す旋回体の説明的平面図。
【図５】他の実施例を示す説明図。
【符号の説明】
１…旋回体、１ａ…カウンターウエイト、２…走行体、３…操縦部、３ａ…座席シート、４…ボンネット、４ａ…第１ボンネット、４ｂ…第２ボンネット、４ｃ…第３ボンネット、１８…作動油タンク、１９…内燃機関用燃料タンク、１７…内燃機関、２２…油圧ポンプ。
【図１】
0003572719.tif 000002
【図２】
0003572719.tif 000003
【図３】
0003572719.tif 000004
【図４】
0003572719.tif 000005
【図５】
0003572719.tif 000006